(57)【要約】【課題】  簡素でかつ施工容易な構造で、扉の開放方向が引き開き側のみとなる錠構造を提供する。【解決手段】  錠構造において、扉枠２１に設けられた開き扉２３と、この扉２３の両方の面２３ａ，２３ｂにそれぞれ設けられた一対のレバー２５ａ，２５ｂと、一対のレバー２５ａ，２５ｂに対応して扉２３にそれぞれ設けられ引き開き側となる扉２３の双方の面２３ａ，２３ｂに位置するレバー２５ａ，２５ｂの開動操作によって扉枠２１との掛止を解除するとともに、扉２３の押し開きによる開動に対しては扉枠２１に掛止する一対のラッチ２７ａ，２７ｂとを設けた。【選択図】      図１
2006233706.tif 000002
【特許請求の範囲】
【請求項１】
扉枠に設けられた開き扉と、
該扉の両方の面にそれぞれ設けられた一対の開扉操作部と、
該一対の開扉操作部に対応して前記扉にそれぞれ設けられ引き開き側となる前記扉の双方の前記面に位置する該開扉操作部の開動操作によって前記扉枠との掛止を解除するとともに、前記扉の押し開きによる開動に対しては前記扉枠に掛止する一対のラッチと、
を具備したことを特徴とする錠構造。
【請求項２】
前記一対のラッチが、前記扉枠を挟持することを特徴とする請求項１記載の錠構造。
【請求項３】
前記一対の開扉操作部のそれぞれの回動軸が、上下方向にずれて配設されたことを特徴とする請求項２記載の錠構造。
【請求項４】
前記一対の開扉操作部の回動軸が、芯部材と、該芯部材の外周に相対回転可能に挿入された外挿部材とによって同軸に配設されたことを特徴とする請求項２記載の錠構造。
【請求項５】
前記一対のラッチが、上下方向にずれて配設されるとともに、前記扉枠の厚み方向中央部に形成された掛止空間部に挿入されて掛止され、該掛止空間部の引き開き側には、押し開きの際に前記扉枠に掛止する方のラッチを通過させる切欠が設けられたことを特徴とする請求項１記載の錠構造。
【発明の詳細な説明】
【技術分野】
【０００１】
本発明は、扉枠に設けられた開き扉を、引き開き方向、すなわち操作する者側の方向にしか開かないようにする錠構造に関する。
【背景技術】
【０００２】
扉は、建物側の制約などによっていずれかの方向でしか開けられないことが多く、戸当たりにて一方向にのみ開放可能な構成とされる。このような扉１に設けられる錠構造は、図１０に示すように、扉１の両方の面１ａ，１ｂに開扉操作部であるレバー３ａ，３ｂが設けられ、レバー３ａの回動軸５が錠箱７へと相対回転不能に貫通された後、その貫通先端にレバー３ｂの嵌入部９がネジ１１によって取り付け固定される。
【０００３】
錠箱７にはレバー３ａ，３ｂの回動によってラッチ１３を進退させたり、不図示のシリンダ錠の操作によってデッドボルト１５を進退させる錠機構が内蔵されている。ラッチ１３は、一方の面が傾斜面１３ａに形成され、他方の面が進退方向に沿う当接面１３ｂで形成される。したがって、扉１は、閉動に際してラッチ１３の傾斜面１３ａが不図示の扉枠に摺接して錠箱７内へと後退され、閉鎖完了と共に扉枠に設けられた掛止空間内へ突出され、当接面１３ｂが掛止空間内壁に当接して自由開放が規制される。ラッチ１３によって開放が規制された扉１は、レバー３ａ，３ｂが回動操作されることにより、ラッチ１３が錠箱７内へ後退され、開放規制が解除されて開放が可能となる。
【０００４】
ところで、扉は、建物躯体側の枠体に対し、開く方向が決まっているものと、どちらの方向にも開くものとがある。使い勝手からすればどちらにも（押し開き・引き開き）開放となる扉、いわゆるスイング方式の扉を設置することが開閉操作上好ましい。
【発明の開示】
【発明が解決しようとする課題】
【０００５】
しかしながら、扉を押して開けようとする場合に、扉の向こう側（反対側）の人は、扉が「引」であり、引いて開けようと操作を行うこととなる。このような構成で表裏同時に人がいた場合に、押して開ける側が勢い良く扉を開けてしまうと、反対側の人に扉が当たってしまい危険である。そこで、扉をどちらからも引く操作のみで開放可能なように構成することが好ましいが、機構が複雑となる問題があった。また、引き開き時にラッチを扉枠側に摺接させて、その反力によって錠箱へ後退させる構造が想定されるが、扉開放の都度、一旦後退したラッチが錠機構内の付勢手段（押圧バネ）によって再び突出することとなり、騒音の発生する問題が危惧された。
【０００６】
本発明は上記状況に鑑みてなされたもので、簡素でかつ施工容易な構造で、扉の開放方向が引き開き側のみとなる錠構造を提供し、扉の向こう側に人がいた場合であっても、扉の開放動作による人への衝突を回避可能とすることを目的とする。
【課題を解決するための手段】
【０００７】
次に、上記の課題を解決するための手段を、実施の形態に対応する図面を参照して説明する。
本発明の請求項１記載の錠構造は、扉枠２１に設けられた開き扉２３と、
該扉２３の両方の面２３ａ，２３ｂにそれぞれ設けられた一対の開扉操作部２５ａ，２５ｂと、
該一対の開扉操作部２５ａ，２５ｂに対応して前記扉２３にそれぞれ設けられ引き開き側となる前記扉２３の双方の前記面２３ａ，２３ｂに位置する該開扉操作部２５ａ，２５ｂの開動操作によって前記扉枠２１との掛止を解除するとともに、前記扉２３の押し開きによる開動に対しては前記扉枠２１に掛止する一対のラッチ２７ａ，２７ｂと、
を具備したことを特徴とする。
【０００８】
この錠構造では、扉枠２１に対して、両方向（押し開き方向・引き開き方向）に開放が可能な開き扉２３であっても、押し開き方向、すなわち扉の開扉操作を行う者から見て押す方向となる開扉方向には一方のラッチ２７ａが扉枠２１に掛止して開扉されず、押し開きが防止され、開扉操作によって他方のラッチ２７ｂの掛止が解除される引き開き側、すなわち、扉の開扉操作を行う者の居る側（手前側）にしか扉２３が開扉されなくなる。
【０００９】
請求項２記載の錠構造は、前記一対のラッチ２７ａ，２７ｂが、前記扉枠２１を挟持することを特徴とする。
【００１０】
この錠構造では、一対のラッチ２７ａ，２７ｂが、扉枠２１を挟持することで、ラッチ２７ａ，２７ｂを扉２３の厚み方向の内部に収容して掛止する必要がなくなり、扉枠２１を薄厚にすることが可能となる。また、開扉操作を行う際（引き開き時）に、押し開き方向で扉枠２１に掛止する方のラッチが、扉枠２１から離反するのみとなり、ラッチが扉枠２１に摺接して進退することがない。
【００１１】
請求項３記載の錠構造は、前記一対の開扉操作部２５ａ，２５ｂのそれぞれの回動軸３１ａ，３１ｂが、上下方向にずれて配設されたことを特徴とする。
【００１２】
この錠構造では、上下方向にずれた一対の回動軸３１ａ，３１ｂによってそれぞれの開扉操作部２５ａ，２５ｂが作動され、一対のラッチ２７ａ，２７ｂが簡素な構造で進退操作可能となる。
【００１３】
請求項４記載の錠構造は、前記一対の開扉操作部２５ａ，２５ｂの回動軸３１ａ，３１ｂが、芯部材３１ｃと、該芯部材３１ｃの外周に相対回転可能に挿入された外挿部材３１ｄとによって同軸に配設されたことを特徴とする。
【００１４】
この錠構造では、一方の開扉操作部２５ａの回動軸が芯部材３１ｃとなり、他方の開扉操作部２５ｂの回動軸が芯部材３１ｃの外周に相対回転可能に挿入された外挿部材３１ｄとなることで、扉２３の両方の面２３ａ，２３ｂに設けられた一対の開扉操作部２５ａ，２５ｂが同軸に配設可能となる。
【００１５】
請求項５記載の錠構造は、前記一対のラッチ４１ａ，４１ｂが、上下方向にずれて配設されるとともに、前記扉枠２１の厚み方向中央部に形成された掛止空間部４３に挿入されて掛止され、該掛止空間部４３の引き開き側には、押し開き方向に前記扉枠２１に掛止する方のラッチ４１ａ，４１ｂを通過させる切欠４５ａ，４５ｂが設けられたことを特徴とする。
【００１６】
この錠構造では、閉扉時に、一対のラッチ４１ａ，４１ｂが掛止空間部４３に収められ、ラッチ４１ａ，４１ｂが外部に露出しなくなる。また、扉の開扉操作の際である引き開き時に、押し開き方向に扉枠２１に掛止する方のラッチ４１ａ，４１ｂが切欠４５ａ，４５ｂを介して通過し、ラッチ４１ａ，４１ｂが扉枠２１に摺接して進退することがない。
【発明の効果】
【００１７】
本発明に係る請求項１記載の錠構造によれば、扉の両方の面に設けられた一対の開扉操作部と、この一対の開扉操作部に対応して扉にそれぞれ設けられ引き開き側となる扉の双方の面に位置する開扉操作部の開動操作によって扉枠との掛止を解除するとともに、扉の押し開き方向への開扉操作による開動に対しては扉枠に掛止する一対のラッチとを備えたので、操作者の居る側から放つ（遠ざける）方向である押し開き方向と、操作者が居る側の方向（手前側方向）である引き開き方向との両方向に開放が可能な開き扉であっても、押し開き方向には一方のラッチが扉枠に掛止して開扉されず、開扉操作によって他方のラッチの掛止が解除される引き開き側（手前側）にしか扉が開扉されない。この結果、扉の開放方向が開扉操作をする側、すなわち、引き開き側のみとなり、扉の向こう側に人がいた場合であっても、簡素でかつ施工容易な構造で、扉の開放動作による人への衝突を回避することができる。
【００１８】
請求項２記載の錠構造によれば、一対のラッチが、扉枠を挟持するので、扉枠を薄厚にすることができる。また、引き開き時に、押し開き方向に扉枠に掛止する方のラッチが、扉枠から離反するのみなので、当該ラッチが扉枠に摺接して進退することがなく、ラッチの進退に伴って騒音が発生しない。
【００１９】
請求項３記載の錠構造によれば、一対の開扉操作部のそれぞれの回動軸が、上下方向にずれて配設されるので、一対のラッチのそれぞれが別々の回動軸によって作動され、扉木口に近接配置されてそれぞれ独立に進退する一対のラッチが簡素な構造の回動軸によって進退操作可能となる。
【００２０】
請求項４記載の錠構造によれば、一対の開扉操作部の回動軸が、芯部材と、この芯部材の外周に相対回転可能に挿入された外挿部材とによって同軸に配設されたので、扉の両方の面の開扉操作部が縦方向・横方向の同一位置で配設可能となり、扉の両方の面で開扉操作部の位置が異なることによる違和感をなくすことができる。
【００２１】
請求項５記載の錠構造によれば、一対のラッチが、上下方向にずれて配設されるとともに、扉枠の厚み方向中央部に形成された掛止空間部に挿入されて掛止され、掛止空間部の引き開き側（手前側）には、押し開き方向（向こう側方向）に扉枠に掛止する方のラッチを通過させる切欠が設けられたので、閉扉時にはラッチを掛止空間部に収め、ラッチの露出を防止して見栄えを向上させることができる。また、引き開き時に、押し開き方向に扉枠に掛止する方のラッチが、切欠を介して通過するので、当該ラッチが扉枠に摺接して進退することがなく、ラッチの進退に伴って騒音が発生しない。
【発明を実施するための最良の形態】
【００２２】
以下、本発明に係る錠構造の好適な実施の形態を図面を参照して詳細に説明する。
図１は本発明に係る錠構造の第１の実施の形態の平面図、図２は図１に示した錠構造の扉木口側から見た正面図、図３は第１の実施の形態の変形例の正面図、図４は図３に示した変形例の要部分解斜視図である。
本実施の形態による錠構造は、図１に示すように、扉枠２１に設けられ、押し開き方向と引き開き方向の両方向を開放方向とすることが可能な開き扉２３と、この扉２３の両方の面２３ａ，２３ｂにそれぞれ設けられた一対の開扉操作部であるレバー２５ａ，２５ｂと、この一対のレバー２５ａ，２５ｂに対応して扉２１にそれぞれ設けられた一対のラッチ２７ａ，２７ｂとを主要な構成部として有している。
【００２３】
ラッチ２７ａ，２７ｂは、扉２３のそれぞれの面２３ａ，２３ｂに突出して設けられた錠箱２９ａ，２９ｂに設けられる。図２に示すように、錠箱２９ａ，２９ｂは、レバー２５ａ，２５ｂを回動自在に支持するとともに、レバー２５ａ，２５ｂに固定された回動軸３１ａ，３１ｂを覆っている。レバー２５ａに固定された回動軸３１ａには係合部３３ａが設けられ、係合部３３ａは扉面２３ｂに配置されるラッチ２７ａを進退可能に連動連結している。また、レバー２５ｂに固定された回動軸３１ｂには係合部３３ｂが設けられ、係合部３３ｂは扉面２３ａに配置されるラッチ２７ｂを進退可能に連動連結している。
【００２４】
錠箱２９ａ，２９ｂとしては扉２３のそれぞれの面２３ａ，２３ｂに突出してケースが取り付けられる所謂面付錠を用いることができる。したがって、本実施の形態では、同一の面付錠を２つ用いることができる。ただし、この場合においても、一方の面２３ａ（又は面２３ｂ）に取り付けられた面付錠のレバー２５ａ（又はレバー２５ｂ）が操作されることにより、回動軸３１ａ（又は回動軸３１ｂ）を介して他方の面２３ｂ（又は面２３ａ）に取り付けられた面付錠のラッチ２７ａ（又はラッチ２７ｂ）が進退作動されることとなる。
【００２５】
それぞれの錠箱２９ａ，２９ｂに進退自在に設けられたラッチ２７ａ，２７ｂは、錠箱２９ａ，２９ｂから突出することで、扉枠２１に当接する。ラッチ２７ａ，２７ｂは、扉枠２１に当接する側の面が面２３ａ，２３ｂと平行な衝止面３９に形成され、その反対側が傾斜面３７で形成される。ラッチ２７ａ，２７ｂは、衝止面３９が扉枠２１に当接することで、当接方向の扉２３の開動、すなわち、押し開き方向への開動を阻止する。また、ラッチ２７ａ，２７ｂは、扉２３の閉動に伴って傾斜面３７が扉枠２１に当接することで、扉枠２１からの反力を受けて、図示しない錠機構付勢手段の付勢力に抗して錠箱２９ａ，２９ｂ内へ押し込められるようになっている。
【００２６】
すなわち、一対のラッチ２７ａ，２７ｂは、図１に示すように、衝止面３９が当接することで扉枠２１を挟持するように配置されている。このように、一対のラッチ２７ａ，２７ｂが、扉枠２１を挟持することで、扉２３は押し開き方向と引き開き方向とが規制されている。また、一対のラッチ２７ａ，２７ｂが扉枠２１を挟持することで、ラッチ２７ａ，２７ｂを扉２３の厚み方向の内部に収容して掛止する必要がなくなり、扉枠２１を薄厚にすることが可能となっている。
【００２７】
本実施の形態において、一対のレバー２５ａ，２５ｂ、及びその回動軸３１ａ，３１ｂは、上下方向にずれて配設されている。このように、一対のレバー２５ａ，２５ｂ、回動軸３１ａ，３１ｂのそれぞれが上下方向にずれて配設さるので、一対のラッチ２７ａ，２７ｂのそれぞれが別々の回動軸３１ａ，３１ｂによって作動され、扉木口に近接配置されてそれぞれ独立に進退する一対のラッチ２７ａ，２７ｂが簡素な構造の回動軸３１ａ，３１ｂによって進退操作可能となる。
【００２８】
なお、ラッチ２７ａ，２７ｂは、図３に示すように、同軸に配設することも可能となる。この場合、一対のラッチ２７ａ，２７ｂの一方の回動軸を角軸状の芯部材３１ｃで形成し、この芯部材３１ｃの外周に相対回転可能となる切欠３５を有するパイプ状の外挿部材３１ｄを外挿する構造とすればよい。例えば、図４に示すように、外挿部材３１ｄの構造を、二股フォーク状に形成し、芯部材３１ｃの外周に相対回転可能とする構成や、外挿部材３１ｄを中空パイプで構成し、芯部材３１ｃの外周を覆うように位置して相対回転可能とする構成などとする。これにより、一方のレバー２５ａの回動軸が芯部材３１ｃとなり、他方のレバー２５の回動軸が芯部材３１ｃの外周に相対回転可能に挿入された外挿部材３１ｄとなることで、扉の両方の面２３ａ，２３ｂに設けられた一対のレバー２５ａ，２５ｂが同軸に配設可能となる。このような変形例によれば、扉２３の両方の面２３ａ，２３ｂでレバー２５ａ，２５ｂの位置が異なることによる違和感をなくすことができる。
【００２９】
以上のように構成される錠構造において、ラッチ２７ａ，２７ｂは、扉２３を開扉操作しようとする者が居る側である引き開き側となる扉２３の双方の面２３ａ，２３ｂに位置するレバー２５ａ，２５ｂの開動操作によって、扉枠２１との掛止を解除するとともに、扉２３の押し開き方向による開動に対しては、扉枠２１に掛止することとなる。つまり、扉２３は、いずれの面２３ａ，２３ｂが引き開き側となり、その場合に操作されたレバー２５ａ，２５ｂのいずれかによって、扉２３を引く方向である開扉操作者の居る側にしか開けられない構造となる。レバー２５ａ，２５ｂで開動操作を行うと、押す方向にはラッチ２７ａ，２７ｂがかかって開放されず、引く方向にはラッチ２７ａ，２７ｂが外れて開放させることが可能となる。なお、ラッチ２７ａ，２７ｂの先端は、傾斜面３７と衝止面３９とに形成される。傾斜面３７は、閉扉時にラッチ自体を引っ込めるためで、衝止面３９は、開扉時に、その方向が開放不可能となる方向とされる。
【００３０】
次に、この錠構造の作用を説明する。
図５は引き開き操作時の開扉操作部操作直後の状態を表す動作説明図、図６は引き開き操作時の開扉状態を表す動作説明図である。
図５に示すように、操作者が扉２３の面２３ｂ側にいる場合、レバー２５ｂが操作される。レバー２５ｂが操作されると、回動軸３１ｂを介して操作者側ではない向こう側の面２３ａ側のラッチ２７ｂが錠箱２９ａへ後退され、図６に示すように、扉２３の引き開きが可能となる。この際、扉２３の操作者が居る側の面２３ｂ側に設けられたラッチ２７ａは突出したままとなり、衝止面３９が扉枠２１に当接することにより、扉２３の開扉操作を行う者側から見て向こう側となる方向である押し開き方向への開動が阻止される。したがって、押し開き方向と引き開き方向との両方向に開動が可能な開き扉２３であっても、押し開き方向には一方のラッチ２７ａが扉枠２１に掛止して開扉されず、押し開き方向への開動が防止され、開扉操作によって他方のラッチ２７ｂの掛止が解除される引き開き側、すなわち開扉操作を行う者の居る側にしか扉２３が開扉されなくなる。
また、扉２３の開扉操作時である引き開き時に、押し開き方向に扉枠２１に掛止する方のラッチ２７ａが、扉枠２１から離反するのみとなり、ラッチ２７ａが扉枠２１に摺接して進退することがない。
【００３１】
したがって、この錠構造によれば、扉２３の両方の面に設けられた一対のレバー２５ａ，２５ｂと、この一対のレバー２５ａ，２５ｂに対応して扉２３にそれぞれ設けられ引き開き側となる扉２３の双方の面２３ａ，２３ｂに位置するレバー２５ａ，２５ｂの開動操作によって扉枠２１との掛止を解除するとともに、扉２３の押し開きによる開動に対しては扉枠２１に掛止する一対のラッチ２７ａ，２７ｂとを備えたので、押し開き方向と引き開き方向との両方向に開動が可能な開き扉２３であっても、押し開き方向には一方のラッチ２７ａが扉枠２１に掛止して開扉されず、開扉操作によって他方のラッチ２７ｂの掛止が解除される引き開き側方向にしか扉２３が開扉されない。この結果、扉２３の開放方向が開扉操作をする側、すなわち、引き開き側のみとなり、扉２３の向こう側に人がいた場合であっても、簡素でかつ施工容易な構造で、扉２３の開放動作による人への衝突を回避することができる。また、扉２３の開き方向が、操作者側の引き開き側（手前側）となるので、勢いよく開けるなどの操作が減り、あわてて開扉操作することなどがなく、これによっても扉２３の開放動作による人への衝突を回避することができる。
【００３２】
また、一対のラッチ２７ａ，２７ｂが、扉枠２１を挟持するので、扉枠２１を薄厚にすることができる。また、開扉操作時（引き開き時）に、押し開き方向に扉枠２１に掛止する方のラッチ２７ａが、扉枠２１から離反するのみなので、当該ラッチ２７ａが扉枠２１に摺接して進退することがなく、ラッチ２７ａの進退に伴って騒音が発生しない。
【００３３】
次に、本発明に係る錠構造の他の実施の形態を説明する。
図７は本発明に係る錠構造の第二の実施の形態の平面図、図８は図７に示した錠構造の扉木口側から見た正面図である。なお、図１〜図６に示した部材と同一の部材には同一の符号を付し、重複する説明は省略するものとする。
この実施の形態による錠構造は、一対のラッチ４１ａ，４１ｂが、上下方向にずれて配設される。また、扉枠２１の厚み方向中央部には掛止空間部４３が形成され、ラッチ４１ａ，４１ｂはこの掛止空間部４３に挿入されて掛止されるようになっている。
【００３４】
さらに、掛止空間部４３の引き開き側には、押し開き方向に扉枠２１に掛止する方のラッチ４１ａ，４１ｂを通過させる切欠４５ａ，４５ｂが設けられている。すなわち、押し開き方向に扉枠２１に掛止する方のラッチがラッチ４１ａである場合には、ラッチ４１ａは切欠４５ａを通過して引き開き操作が可能となる。反対に、押し開き方向に扉枠２１に掛止する方のラッチがラッチ４１ｂである場合には、ラッチ４１ｂは切欠４５ｂを通過して引き開き操作が可能となる。
【００３５】
次に、この錠構造の作用を説明する。
図９は第２の実施の形態における引き開き操作時の開扉状態を（ａ）（ｂ）（ｃ）に表す動作説明図である。
図９（ａ）に示すように、操作者が扉２３の面２３ｂ側にいる場合、レバー２５ｂが操作される。レバー２５ｂが操作されると、下側のラッチ４１ｂが後退され、扉２３の引き開きが可能となる。この際、上側に設けられたラッチ４１ａは衝止面３９が掛止空間部４３に当接することにより、扉２３の押し開き方向への開動が阻止される。したがって、押し開き方向と引き開き方向との両方向に開動が可能な開き扉２３であっても、押し開き方向には一方のラッチ４１ａが掛止空間部４３に掛止して開扉されず、押し開き方向への開扉が防止され、開放操作によって他方のラッチ４１ｂの掛止が解除される引き開き側（手前側）にしか扉２３が開扉されなくなる。
【００３６】
そして、引き開き時には、図９（ｂ）に示すように、突出状態のままのラッチ４１ａが切欠４５ａを通過することにより、扉枠２１と干渉することなく図９（ｃ）に示すように扉２３が引き開きされる。
また、引き開き時に、押し開き方向に扉枠２１に掛止する方のラッチ２７ａが、扉枠２１から離反するのみとなり、ラッチ２７ａが扉枠２１に摺接して進退することがない。
【００３７】
また、本実施の形態では、扉２３の閉動時にもラッチ４１ａが突出した状態のままとなるが、この際においても、ラッチ４１ａが切欠４５ａを通過して掛止空間部４３へと進入するので、ラッチ４１ａが扉枠２１と干渉することなく扉２３が閉鎖可能となる。
【００３８】
したがって、この錠構造によれば、一対のラッチ４１ａ，４１ｂが、上下方向にずれて配設されるとともに、扉枠２１の厚み方向中央部に形成された掛止空間部４３に挿入されて掛止され、掛止空間部４３の引き開き側には、押し開き方向に扉枠２１に掛止する方のラッチ４１ａを通過させる切欠４５ａが設けられたので、閉扉時にはラッチ４１ａ，４１ｂを掛止空間部４３に収め、ラッチ４１ａ，４１ｂの露出を防止して見栄えを向上させることができる。また、引き開き時に、押し開き方向に扉枠２１に掛止する方のラッチ４１ａが、切欠４５ａを介して通過するので、当該ラッチ４１ａが扉枠２１に摺接して進退することがなく、ラッチ４１ａ，４１ｂの進退に伴って騒音が発生しない。
【図面の簡単な説明】
【００３９】
【図１】本発明に係る錠構造の第１の実施の形態の平面図である。
【図２】図１に示した錠構造の扉木口側から見た正面図である。
【図３】第１の実施の形態の変形例の正面図である。
【図４】図３に示した変形例の要部分解斜視図である。
【図５】引き開き操作時の開扉操作部操作直後の状態を表す動作説明図である。
【図６】引き開き操作時の開扉状態を表す動作説明図である。
【図７】本発明に係る錠構造の第二の実施の形態の平面図である。
【図８】図７に示した錠構造の扉木口側から見た正面図である。
【図９】第２の実施の形態における引き開き操作時の開扉状態を（ａ）（ｂ）（ｃ）に表す動作説明図である。
【図１０】従来の錠構造を備えた扉の斜視図である。
【符号の説明】
【００４０】
２１…扉枠
２３…扉
２３ａ，２３ｂ…両方の面
２５ａ，２５ｂ…開扉操作部（レバー）
２７ａ，２７ｂ…ラッチ
３１ａ，３１ｂ…回動軸
３１ｃ…芯部材
３１ｄ…外挿部材
４３…掛止空間部
４５ａ，４５ｂ…切欠  
【図１】
2006233706.tif 000003
【図２】
2006233706.tif 000004
【図３】
2006233706.tif 000005
【図４】
2006233706.tif 000006
【図５】
2006233706.tif 000007
【図６】
2006233706.tif 000008
【図７】
2006233706.tif 000009
【図８】
2006233706.tif 000010
【図９】
2006233706.tif 000011
【図１０】
2006233706.tif 000012